(57)【要約】  巻取軸（１０）から引き出されるスクリーン（１１）の両側縁部のガイド突条（１３）を案内する固定のガイドレール（２０）の内側にインナレール（２３）を組込む。インナレールにガイド突条（１３）が挿入可能なガイド溝（２４）の開口端部に一対の内向きフランジ（２５）を設ける。レール基板（３２）の両側縁部に高さが異なるアウタ側突条（３３）と、インナ側突条（３４）を設けた一対のレール部材（３１）を、高さが高いアウタ側突条を突き合わせ、高さの低いインナ側突条の対向部間にスリット状の微小すきま（３５）が形成される組み合わせとして、その微小すきまが内向きフランジの対向部間に形成された案内すきま（２６）と対向するようガイド溝内に組込み、インナ側突条によってガイド突条を抜止め状態で摺動案内し、極薄のファスナエレメントをガイド突条として使用できるようにしたロールスクリーン装置を提供する。
2012176332.tif 000002
【特許請求の範囲】
【請求項１】
巻取軸の一方向の回転によってその外周に巻き取られるスクリーンの両側縁部に渦巻き状に巻取り可能なガイド突条を設け、前記巻取軸から巻き戻されるスクリーンの両側縁部の移動を案内する一対の固定のガイドレールの内側に合成樹脂の成形品からなるインナレールを組込み、そのインナレールの長さ方向に前記ガイド突条の移動を案内するガイド溝を設け、そのガイド溝の開口端に設けられた対向一対の内向きフランジによって前記ガイド突条を抜止めする状態で摺動案内するロールスクリーン装置において、
前記インナレールのガイド溝内にスライド案内レールを組込み、そのスライド案内レールが、樹脂成型された一対のレール部材からなり、そのレール部材が、前記ガイド溝の溝深さにほぼ等しい幅寸法の帯板状レール基板の一側部に、高さがガイド溝の溝幅寸法のほぼ１／２とされたアウタ側突条を設け、他側部にそのアウタ側突条より高さが低く、前記内向きフランジより高さの高いインナ側突条を設けた構成とされ、その一対のレール部材は、アウタ側突条を突き合わせ、インナ側突条の対向部間にスリット状の微小すきまが形成される組み合わせとされ、その微小すきまが前記内向きフランジの対向部間に形成された案内すきまに臨むようにして前記ガイド溝内に組込み、前記インナ側突条により前記ガイド突条を抜止め状態で摺動案内するようにしたことを特徴とするロールスクリーン装置。
【請求項２】
前記一対のレール部材の形成素材としての合成樹脂が、硬質の合成樹脂からなる請求項１に記載のロールスクリーン装置。
【請求項３】
前記合成樹脂が、塩化ビニルとポリカーボネイトの一種からなる請求項２に記載のロールスクリーン装置。
【発明の詳細な説明】
【技術分野】
【０００１】
この発明は、建物の採光部や開口部等を開閉する際に用いられるロールスクリーン装置に関する。
【背景技術】
【０００２】
この種のロールスクリーン装置として特許文献１に記載されたものが従来から知られている。このロールスクリーン装置においては、巻取軸によってスクリーンを巻き取り、その巻取軸から引き出されたスクリーンの両側縁部の移動を案内する対向一対のガイドレールのそれぞれ内部にインナレールを組込み、そのインナレールに上記スクリーンの両側縁部に沿って設けられた渦巻き状に巻取り可能なガイド突条が移動自在に挿入されるガイド溝を設け、そのガイド溝の開口端部に一対の内向きフランジを形成し、その一対の内向きフランジによってガイド突条を抜止め状態で摺動案内するようにしている。【０００３】
上記のようなロールスクリーン装置においては、普通、スクリーンの側縁部にスライドファスナにおけるファスナテープを重ね合わせて高周波ウェルダにより固着し、そのファスナテープの一側縁に沿って設けられたファスナエレメントをガイド突条としている。【０００４】
ファスナエレメントをガイド突条とする上記のようなロールスクリーン装置においては、ガイド突条としてのファスナエレメントの厚みがスクリーンの肉厚より厚い場合、巻取軸によるスクリーンの渦巻き状の巻取り状態で、ガイド突条が重なりあって両端部の巻径が中央部の巻径より大きくなり、スクリーンが鼓形に巻き取られて両端部に皺が生じたり、あるいは、ガイド突条が先に巻き取れたガイド突条に対してスクリーンの幅方向に位置がずれる巻取りとされてスクリーンが蛇行し、巻き取り時の抵抗が大きなってスムーズに巻き取ることができなくなる。【０００５】
そのような問題を解決するため、特許文献１に記載されたロールスクリーン装置においては、スクリーンの厚みをガイド突条の厚みより厚くして、ガイド突条が重なり合って巻き取れることのないようしている。
【先行技術文献】
【特許文献】
【０００６】
【特許文献１】特開２００１−１０７６６６号公報
【発明の概要】
【発明が解決しようとする課題】
【０００７】
ところで、上記従来のロールスクリーン装置においては、スクリーンを極めてきれいに巻き取ることができるものの、スクリーンの厚みをガイド突条の厚みより厚くしているため、スクリーンが重量物となり、巻取りに大きな操作力を必要としてスムーズに巻き取ることができず、また、スクリーンの長さが長くなると大型化し、ロールスクリーン装置の適用範囲が狭くなり、その適用範囲を拡げる上において改善すべき点が残されている。【０００８】
ここで、近年、ファスナテープとして、テープ厚みが０．３５ｍｍ程度、ガイド突条とされるファスナエレメントが１．０ｍｍ程度のきわめて薄いものが開発され、生産されるようになっている。本件の発明者は、このような極薄のファスナテープを採用することにより、厚みの薄いスクリーンでも、両端部の巻径が大きくなることなくきれいな巻取り状態が得られることを見出し、ロールスクリーン装置に採用しようとしたのであるが、以下のような問題が生じて採用することができなかった。【０００９】
すなわち、ガイド突条としてのファスナエレメントの移動を案内するインナレールは合成樹脂の成形品であり、一対の内向きフランジが形成された内側部では、その内向きフランジの対向部間にファスナテープの移動を案内する隙間があり、反対側の外側部では隙間が存在せず、その隙間の有無により、成形後、インナレールの外側部が幅方向に湾曲するよう収縮する。そして、その収縮量が一定しないため、一対の内向きフランジの対向面間にファスナエレメントを抜止めすることができる大きさの案内すきま、具体的には、０．７ｍｍ程度の案内すきまを確実に確保することができない。【００１０】
このため、インナレールに形成されたガイド溝内にガイド突条を挿入し、一対の内向きフランジでガイド突条を摺動案内した際、スクリーンに幅方向内方に向く引張り力が負荷されると、ガイド突条が一対の内向きフランジ間の隙間から抜け出し、ガイド突条を抜止めすることができない。【００１１】
この発明の課題は、極薄のファスナテープのファスナエレメントを巻取軸で巻き取られるスクリーンの両側縁部のガイド突条として採用することができるようにして、適用範囲の拡大を図ることができるようにしたロールスクリーン装置を提供することである。
【課題を解決するための手段】
【００１２】
上記の課題を解決するため、この発明においては、巻取軸の一方向の回転によってその外周に巻き取られるスクリーンの両側縁部に渦巻き状に巻取り可能なガイド突条を設け、前記巻取軸から巻き戻されるスクリーンの両側縁部の移動を案内する一対の固定ガイドレールの内側に合成樹脂の成形品からなるインナレールを組込み、そのインナレールの長さ方向に前記ガイド突条の移動を案内するガイド溝を設け、そのガイド溝の開口端に設けられた対向一対の内向きフランジによって前記ガイド突条を抜止めする状態で摺動案内するロールスクリーン装置において、前記インナレールのガイド溝内にスライド案内レールを組込み、そのスライド案内レールが、樹脂成型された一対のレール部材からなり、そのレール部材が、前記ガイド溝の溝深さにほぼ等しい幅寸法の帯板状レール基板の一側部に、高さがガイド溝の溝幅寸法のほぼ１／２とされたアウタ側突条を設け、他側部にそのアウタ側突条より高さが低く、前記内向きフランジより高さの高いインナ側突条を設けた構成とされ、その一対のレール部材は、アウタ側突条を突き合わせ、インナ側突条の対向部間にスリット状の微小すきまが形成される組み合わせとされ、その微小すきまが前記内向きフランジの対向部間に形成された案内すきまに臨むようにして前記ガイド溝内に組込み、前記インナ側突条により前記ガイド突条を抜止め状態で摺動案内するようにした構成を採用したのである。【００１３】
上記のように、レール基板の両側部に高さが異なるインナ側突条とアウタ側突条を設けたレール部材の一対を、高さの高いアウタ側突条が対向する組み合わせとすることによって、一対のインナ側突条の対向部間にスリット状の微小すきまを形成することができる。また、一対のレール部材の対向部間に上記微小すきまに連通する案内溝を形成することができる。【００１４】
このとき、微小すきまを形成する一対のレール部材は、断面形状がほぼコの字形とされて全体にわたってほぼ均一厚みであるため、樹脂成型後の収縮による変形が殆どなく、寸法精度の高いレール部材を樹脂成形することができる。【００１５】
したがって、インナ側突条の高さをアウタ側突条の高さより低くし、かつ、内向きフランジの高さより高くすることによって、一対のインナ側突条間に一対の内向きフランジの対向部間に形成された案内すきまより小さな微小すきまを確実に形成することができる。【００１６】
その結果、前述の極薄ファスナテープのファスナエレメントをガイド突条として採用することが可能となり、スクリーンとして薄膜状のものを採用することが可能となり、適用範囲の広いロールスクリーン装置を提供することができる。【００１７】
ここで、レール部材の形成素材としての合成樹脂は硬質のものが好ましい。そのような樹脂として、塩化ビニルやポリカーボネイトを挙げることができる。
【発明の効果】
【００１８】
この発明においては、上記のように、レール基板の両側部に高さの異なるインナ側突条とアウタ側突条を設けた一対の樹脂成型されたレール部材を、高さの高いアウタ側突条が対向する組み合わせとしてインナレールのガイド溝内に組込むようにしたので、一対のインナ側突条の対向部間に一対の内向きフランジの対向部間に形成された案内すきまより小さな微小すきまを確実に形成することができ、前記一対のインナ側突条によって厚みの薄いガイド突条を抜止め状態で確実に摺動案内することができる。その結果、極薄ファスナテープのファスナエレメントをガイド突条として採用することが可能となり、スクリーンとして薄膜状のものを採用することができるので、適用範囲の広いロールスクリーン装置を提供することができる。
【図面の簡単な説明】
【００１９】
【図１】この発明に係るロールスクリーン装置の実施の形態を示す正面図
【図２】図１のII−II線に沿った断面図
【図３】図１のIII−III線に沿った断面図
【図４】図１の巻取軸の組込み部を示す一部切欠断面図
【図５】図３の一部分を拡大して示す断面図
【発明を実施するための形態】
【００２０】
以下、この発明の実施形態を図面に基づいて説明する。図１乃至図４に示すように、角筒状をなすスクリーン収納ボックス１の底板２には左右両端方向に長く延びる引出し口３が設けられている。
【００２１】
スクリーン収納ボックス１の内部には巻取軸１０が組込まれている。巻取軸１０にはスクリーン１１の一端部が連結されている。スクリーン１１は巻取軸１０の回転によって巻取り、巻き戻しされる。その巻き戻しの際に、スクリーン１１はスクリーン収納ボックス１の底板２に形成された上記引出し口３から下方に向けて引き出され、その下端にはスクリーン１１の長さ方向に張力を付与するウェイトバー１２が設けられている。
【００２２】
また、スクリーン１１の両側縁部には、ガイド突条１３が設けられている。ガイド突条１３は、スライドファスナのファスナテープ１４の側縁部に取付けられたファスナエレメントからなり、そのファスナエレメントが設けられたファスナテープ１４がスクリーン１１の側縁部に重ね合わされて固着一体化されている。
【００２３】
ここで、巻取軸１０は、その内部に組み込まれたモータ１５によって回転駆動されるようになっているが、ウェイトバー１２の引き下げ操作によるスクリーン１１の引き出しによって巻取軸を巻き戻し方向に回転させ、巻取軸の内部に組み込まれた巻きばねにねじり変形を生じさせ、その巻きばねの復元弾性によって巻取軸を巻取り方向に回転させるようにしてもよい。
【００２４】
図１および図２に示すように、スクリーン収納ボックス１の下面両端部には、対向配置されて上下方向に長く延びる一対のガイドレール２０のそれぞれ上端部が連結されている。
【００２５】
図３に示すように、ガイドレール２０には、その対向面において開口する挿入溝２１と、その挿入溝２１に連通するレール収納空間２２とが形成されている。挿入溝２１およびレール収納空間２２のそれぞれはガイドレール２０の長さ方向（上下方向）に長く延び、上記挿入溝２１の上端開口がスクリーン収納ボックス１の引出し口３の両端と対向し、その挿入溝２１内にウェイトバー１２の両端部がスライド自在に嵌合されている。
【００２６】
レール収納空間２２の内部にはインナレール２３が組込まれている。インナレール２３はガイドレール２０と同じ長さとされている。図３および図５に示すように、このインナレール２３にはスクリーン１１の側縁部が挿入可能なガイド溝２４が形成され、そのガイド溝２４の開口端部に一対の内向きフランジ２５が形成されている。
【００２７】
インナレール２３は合成樹脂の成形品からなり、一対の内向きフランジ２５の対向面間には案内すきま２６が形成されている。図５に示すδは、案内すきま２６の大きさを示し、その大きさはインナレール２３の樹脂成形で限度とされているほぼ１．０ｍｍ程度の大きさとされている。
【００２８】
インナレール２３のガイド溝２４内にはスライド案内レール３０が嵌合されている。スライド案内レール３０は一対のレール部材３１からなる。レール部材３１はレール基板３２の片面一側部にアウタ側突条３３を設け、他側にインナ側突条３４を形成した合成樹脂の成形品からなり、上記レール基板３２の幅寸法ｗ１は、インナレール２３に形成されたガイド溝２４の溝深さH１にほぼ等しくされている。
【００２９】
また、アウタ側突条３３の高さｈ１はインナレール２３におけるガイド溝２４の溝幅寸法Ｗ１のほぼ１／２とされている。さらに、インナ側突条３４の高さｈ２はアウタ側突条３３より高さｈ１より低く、内向きフランジ２５の高さｈ３より高なっている。
【００３０】
一対のレール部材３１は、アウタ側突条３３を突き合わせ、インナ側突条３４の対向部間にスリット状の微小すきま３５が形成される組み合わせとされ、その微小すきま３５が内向きフランジ２５の対向部間に形成された案内すきま２６に対向するようにしてインナレール２３のガイド溝２４内に組込まれ、そのガイド溝２４の開口端に設けられた一対の内向きフランジ２５によって抜止めされている。
【００３１】
また、一対のレール部材３１の上記のような組み合わせにより、その一対のレール部材３１の対向部間に案内溝３６が形成され、巻取軸１０からスクリーン１１が引き出された場合、そのスクリーン１１の両側縁部に設けられたファスナテープ１４がスライド案内レール３０の微小すきま３５で案内され、ガイド突条１３が案内溝３６内に挿入されて一対のインナ側突条３４によって抜止め状態で摺動案内されるようになっている。
【００３２】
図３に示すように、インナレール２３には外側面に前後に張り出す膨出部２７が形成され、その膨出部２７とガイドレール２０の内側壁間にスポンジ等の弾性体２８が組込まれている。弾性体２８は、インナレール２３を外側方に向けて付勢してスクリーン１１に幅方向のテンションを付与するようになっている。
【００３３】
実施の形態では、上記のように、レール基板３２の片面に高さが異なるアウタ側突条３３とインナ側突条３４を設けた合成樹脂製のレール部材３１の一対を、高さの高いアウタ側突条３３が対向する組み合わせとしているため、対向する一対のインナ側突条３４間にファスナテープ１４の移動を案内する微小すきま３５を形成することができる。また、一対のレール部材３１の対向部間にインナレール２３のガイド溝２４より断面形状の小さい案内溝３６を形成することができる。
【００３４】
このとき、微小すきま３５を形成する一対のレール部材３１は、断面形状がコの字形とされて厚みが全体にわたってほぼ均一であるため、樹脂成型後の収縮による変形がきわめて少ない寸法精度の高いレール部材３１を樹脂成形することができる。
【００３５】
したがって、インナ側突条３４の高さｈ２をアウタ側突条３３の高さｈ１より低くし、かつ、内向きフランジ２５の高さｈ３より高くすることによって、一対のインナ側突条３４間に一対の内向きフランジ２５の対向部間に形成された案内すきま２６より小さな微小すきま３５を形成することができる。
【００３６】
その結果、テープ厚みが０．３５ｍｍ程度、ファスナエレメントが１．０ｍｍ程度のきわめて薄いファスナテープのファスナエレメントをガイド突条１３として採用することが可能となり、スクリーン１１として薄膜状のものを採用することができる。このため、適用範囲の広いロールスクリーン装置を提供することができる。
【符号の説明】
【００３７】
１０    巻取軸
１１    スクリーン
１３    ガイド突条
２０    ガイドレール
２３    インナレール
２４    ガイド溝
２５    内向きフランジ
２６    案内すきま
３０    スライド案内レール
３１    レール部材
３２    レール基板
３３    アウタ側突条
３４    インナ側突条
３５    微小すきま
【図１】
2012176332.tif 000003
【図２】
2012176332.tif 000004
【図３】
2012176332.tif 000005
【図４】
2012176332.tif 000006
【図５】
2012176332.tif 000007
【国際調査報告】
2012176332.tif 000008
2012176332.tif 000009
2012176332.tif 000010
2012176332.tif 000011